(57)【要約】  本発明は、光ストレージディスクを書き込むのに適し、既知のディスクタイプに割り当てられる書き込み戦略情報を求めるため、複数の光ドライブによってアクセス可能な少なくとも１つの中央データベースにアクセスする手段を有する光ドライブに関する。本発明によると、当該光ドライブは、挿入されたディスクが未知のディスクタイプを有する場合、前記挿入されたディスクから取得されたディスクタイプ識別情報の少なくとも一部を前記中央データベースに提供するよう構成される。さらに、本発明は、光ドライブの書き込み戦略を決定する方法に関する。
2007534094.tif 000002
【特許請求の範囲】
【請求項１】
光ストレージディスクを書き込むのに適し、既知のディスクタイプに割り当てられる書き込み戦略情報を求めるため、複数の光ドライブによってアクセス可能な少なくとも１つの中央データベースにアクセスする手段を有する光ドライブであって、
当該光ドライブは、挿入されたディスクが未知のディスクタイプを有する場合、前記挿入されたディスクから取得されたディスクタイプ識別情報の少なくとも一部を前記中央データベースに提供するよう構成されることを特徴とする光ドライブ。
【請求項２】
請求項１記載の光ドライブであって、
当該光ドライブはさらに、前記挿入されたディスク、特に未知のディスクタイプを有する挿入されたディスクへの書き込みを試みることにより取得した知識を前記中央データベースに提供するよう構成されることを特徴とする光ドライブ。
【請求項３】
請求項２記載の光ドライブであって、
前記取得した知識は、前記挿入されたディスクに良好に適用された書き込み戦略情報を有することを特徴とする光ドライブ。
【請求項４】
請求項２又は３記載の光ドライブであって、
前記取得した知識は、特に書き込みの試みが前記光ドライブの損傷を招く場合、適用に失敗した書き込み戦略情報を有することを特徴とする光ドライブ。
【請求項５】
請求項１記載の光ドライブであって、
前記書き込み戦略情報は、前記挿入されたディスクが拒絶される必要があるか示す少なくとも１ビットを有することを特徴とする光ドライブ。
【請求項６】
請求項１記載の光ドライブであって、
当該光ドライブは、少なくともいくつかの既知のディスクタイプに対する書き込み戦略情報を有するローカルデータベースを有することを特徴とする光ドライブ。
【請求項７】
請求項６記載の光ドライブであって、
当該光ドライブは、前記中央データベースに基づき、当該光ドライブのローカルデータベースを更新するよう構成されることを特徴とする光ドライブ。
【請求項８】
請求項６記載の光ドライブであって、
当該光ドライブは、前記取得した知識に基づき、当該光ドライブのローカルデータベースを更新するよう構成されることを特徴とする光ドライブ。
【請求項９】
請求項１記載の光ドライブであって、
前記挿入されたディスクへの書き込みのため、当該光ドライブは、前記挿入されたディスクが既知のタイプのディスクである場合、前記ローカルデータベース及び／又は前記中央データベースに格納されている書き込み戦略情報を利用することを特徴とする光ドライブ。
【請求項１０】
光ストレージディスクを書き込むのに適し、既知のディスクタイプに割り当てられる書き込み戦略情報を求めるため、複数の光ドライブによってアクセス可能な少なくとも１つの中央データベースにアクセスする手段を有する光ドライブであって、
当該光ドライブは、既知のディスクタイプの挿入されたディスクが前記書き込み戦略情報から、挿入されたディスクへの書き込みが当該光ドライブの損傷を招く可能性がある場合、前記既知のディスクタイプの挿入されたディスクを拒絶するよう構成されることを特徴とする光ドライブ。
【請求項１１】
請求項１０記載の光ドライブであって、
当該光ドライブは、少なくともいくつかの既知のディスクタイプの書き込み戦略情報を有するローカルデータベースを有することを特徴とする光ドライブ。
【請求項１２】
請求項１１記載の光ドライブであって、
当該光ドライブは、前記中央データベースに基づき、当該光ドライブのローカルデータベースを更新するよう構成されることを特徴とする光ドライブ。
【請求項１３】
請求項１１記載の光ドライブであって、
前記書き込み戦略情報は、前記挿入されたディスクが拒絶される必要があるか示す少なくとも１ビットを有することを特徴とする光ドライブ。
【請求項１４】
光ドライブの書き込み戦略を決定する方法であって、
ａ）前記光ドライブに挿入されるディスクからディスクタイプ識別情報を取得するステップと、
ｂ）前記ディスクタイプ識別情報に基づき、前記挿入されたディスクが既知のタイプのディスクであるか判断するステップと、
ｃ）前記挿入されたディスクが未知のディスクタイプを有する場合、前記ディスクタイプ識別情報の少なくとも一部を複数の光ドライブによってアクセス可能な中央データベースに提供するステップと、
を有することを特徴とする方法。
【請求項１５】
請求項１４記載の方法であって、さらに、
ｄ）前記挿入されたディスクが未知のタイプのディスクである場合、前記ディスクタイプ識別情報に基づき決定された書き込み戦略によって前記挿入されたディスクへの書き込みを試みるステップと、
ｅ）前記ステップｄ）の挿入されたディスクへの書き込みの試みが成功した場合、前記挿入されたディスクへの成功した書き込みに利用された書き込み戦略情報を前記中央データベースに提供するステップと、
を有することを特徴とする方法。
【請求項１６】
請求項１４記載の方法であって、さらに、
ｄ）前記挿入されたディスクが未知のタイプのディスクである場合、前記ディスクタイプ識別情報に基づき決定された書き込み戦略によって前記挿入されたディスクへの書き込みを試みるステップと、
ｆ）前記ステップｄ）の挿入されたディスクへの書き込みの試みが不成功であった場合、前記挿入されたディスクへの書き込みを試みることによって取得された知識を前記中央データベースに提供するステップと、
を有することを特徴とする方法。
【請求項１７】
請求項１４記載の方法であって、
前記ステップｂ）は、ローカルデータベース及び／又は前記中央データベースにアクセスすることを特徴とする方法。
【請求項１８】
光ドライブの書き込み戦略を決定する方法であって、
ａ）前記光ドライブに挿入されたディスクからディスクタイプ識別情報を取得するステップと、
ｂ）前記ディスクタイプ識別情報に基づき、前記挿入されたディスクが既知のタイプのディスクであるか判断するステップと、
を有し、
前記ステップｂ）において、前記挿入されたディスクが既知のタイプのディスクであるかの判断は、インターネットを介し更新されるローカルデータベースに基づき実行され、
前記ステップｂ）は、前記挿入されたディスクがドライブ損傷を招く可能性のある既知のタイプのディスクである場合、前記挿入されたディスクへの書き込みを試みることなく前記挿入されたディスクを拒絶する、
ことを特徴とする方法。
【発明の詳細な説明】
【技術分野】
【０００１】
本発明は、光ストレージディスクを書き込むのに適したものであって、既知のディスクタイプに割り当てられた書き込み戦略情報を求めるため、複数の光ドライブによりアクセス可能な少なくとも１つの中央データベースにアクセスする手段を有する光ドライブに関する。さらに、本発明は、光ドライブの書き込み戦略を決定する方法であって、ａ）前記光装置に挿入されたディスクからディスクタイプ識別情報を取得するステップと、ｂ）前記挿入されたディスクが、前記ディスクタイプ識別情報に基づき既知のタイプのディスクであるか判断するステップと有する方法に関する。
【背景技術】
【０００２】
ＣＤ−Ｒ（Ｗ）、ＤＶＤ±Ｒ（Ｗ）又はＢＤ−Ｒ（ｅ）などの光ドライブに関して、可能な限り多数の挿入されたディスクを書き込み又は記録することが可能であることが大変重要である。これに関する問題点は、異なるメーカーによって販売されるディスクが、とても頻繁に必要な書き込み戦略に関して異なる特徴を有するということである。異なる書き込み戦略を求めるディスクは、異なるタイプのディスクとここでは呼ばれる。光ドライブが適切な書き込み戦略を見つけることができない場合、最もシンプルな方法は、ディスクを拒絶することである。しかしながら、光ドライブによってディスクが拒絶される毎に、多くの場合、ユーザは、挿入されたディスクではなく、当該光ドライブを非難する。
【０００３】
この問題を解決する第１の試みは、光ドライブのローカルデータベースに異なるディスクタイプに適した書き込み戦略を格納することによって、書き込み可能性を向上させることである。このような既知の第１の試みは、図１によるフローチャートに示される。
【０００４】
ステップＳ１において、ディスクが挿入されるとすぐに、すべてのディスクに関して提供されているディスクタイプ識別情報が、光ディスクによって読み込まれ、ステップＳ２において、挿入されたディスクのタイプが識別される。このディスクタイプ識別情報は、例えば、ＡＤＩＰ（ＡｄＤｒｅｓｓ  Ｉｎ  Ｐｒｅ−ｇｒｏｏｖｅ）として当業者に知られている。その後ステップＳ３において、ローカルデータベース（メモリ）が、ディスクタイプ識別情報に一致するエントリについて検索される。当該ディスクタイプがローカルデータベースに検出される場合、ステップＳ４において、当該ディスクは既知のタイプのディスクとみなされ、ステップＳ５に移行する。ステップＳ５において、ユーザが記録することを所望するスピードｖｒｅｃｏｒｄｉｎｇが、当該ディスクが設計された最大スピードｖｍａｘ以下であるであるかチェックされる。ここで、この最大スピードｖｍａｘは、ディスクタイプ識別情報を介し取得される。ユーザが記録することを所望するスピードｖｒｅｃｏｒｄｉｎｇが最大スピードｖｍａｘより高い場合、ステップＳ６において、挿入されたディスクについて適したローカルデータベースに格納されている書き込み戦略ＷＳが利用される。ユーザが記録することを所望するスピードｖｒｅｃｏｒｄｉｎｇが最大スピードｖｍａｘ以下である場合、ステップＳ９において、書き込み戦略ＷＳがディスクタイプ識別情報を介し取得される。何れの場合でも、ステップＳ１０において、書き込み戦略ＷＳのパラメータが最適化され、ステップＳ１１においてディスクが書き込まれる。しかしながら、ステップＳ４において、挿入されたディスクのディスクタイプがローカルデータベースに検出されない場合、ステップＳ７に移行する。ステップＳ７においてまた、ユーザが記録することを所望するスピードｖｒｅｃｏｒｄｉｎｇが、ディスクが設計された最大スピードｖｍａｘ以下であるか判断される。このケースでない場合、ステップＳ８においてディスクが拒絶される。ステップＳ７において、ユーザが実際に記録することを所望するスピードｖｒｅｃｏｒｄｉｎｇが、ディスクが設計された最大スピードｖｍａｘ以下であると判断される場合に限って、ステップＳ９に分岐し、書き込み戦略ＷＳが、上述されたようなディスクタイプ識別情報を介し取得される。
【０００５】
このアプローチによる問題点は、この場合のローカルデータベースが、メーカーによって注入されるということである。従って、規格に従わないディスクタイプが多数あるため、ローカルデータベースは完結しない。さらに、ローカルデータベースは、光ドライブの製造後、市場に投入されたディスクタイプを含まない。この結果、当該第１の試みによっては、期間中、ユーザによって挿入されるますます多くのディスクが光ドライブによって拒絶され、これはユーザを不快にさせる。
【０００６】
上記第１の試みにより依然として存在する問題点を解決するため、第２の試みに従って、ユーザにローカルデータベースを更新する可能性が提供される。これは、フラッシュディスクなどにより光ドライブをフラッシュすることにより実現することが可能である。他の可能性は、ＵＳ２００３／０１２３３５５Ａ１に提案されるように、（インターネットなどを介し）複数の光ドライブによりアクセス可能な中央データベースに基づきローカルデータベースを更新することである。
【０００７】
上述した問題点を解決する第３のより良好な試みは、学習能力を有し、このため「スマートドライブ（ｓｍａｒｔ  ｄｒｉｖｅ）」と呼ばれる光ドライブを提供することである。図２は、このようなスマート光ドライブの動作を示す。
【０００８】
図２のステップＳ１において、ディスクが挿入されるとすぐに、またこの第３の試みにより、ディスクタイプ識別情報（ＡＤＩＰ）が光ドライブによって読み込まれ、ステップＳ２において挿入されたディスクのタイプが識別される。その後ステップＳ３において、ローカルデータベースが、ディスクタイプ識別情報に一致するエントリについて検索される。当該ディスクタイプがローカルデータベースにおいて検出される場合、ステップＳ４において、当該ディスクは既知のタイプのディスクとみなされ、ステップＳ５に移行する。ステップＳ５において、書き込み戦略ＷＳがローカルデータベースを介し取得される。その後ステップＳ６において、書き込み戦略ＷＳパラメータが最適化される。ステップＳ１１において、ティルトなどの書き込み設定が最適化され、ステップＳ１２において、ディスクが書き込まれる。ステップＳ４において、未知のタイプのディスクが光ドライブに挿入されたと判断された場合、上記第１及び第２の試みと対照的に、第３の試みによると、光ドライブは未知のタイプの挿入されたディスクを書き込もうとする。これに関してステップＳ７において、ディスクタイプ識別情報（ＡＤＩＰ）が利用され、ステップＳ８において、可能なベストの書き込み戦略ＷＳが決定される。ステップＳ９において、このベストの書き込み戦略ＷＳが仕様の範囲内のものである場合、ステップＳ６に分岐し、上述のように、各書き込み戦略ＷＳパラメータが最適化される。このような未知のタイプの挿入されたディスクを書き込む試みの場合、ローカルデータベースは、各自の取得した知識に基づき更新される。すなわち、このような場合、光ドライブは挿入されたタイプのディスクの書き込み方法を学習している。当該タイプのディスクが挿入される次回の時点では、ステップＳ４において、光ドライブはこのディスクタイプをすでに知っている。ステップＳ９において、可能なベストの書き込み戦略ＷＳが仕様の範囲内にないと判断される場合に限って、ステップＳ１０において、当該ディスクは拒絶される。
【０００９】
上述された試みにより、光ドライブによって拒絶されたディスクの個数は大きく低減されるが、それは依然として一部のユーザによっては多すぎるとみなされるかもしれない。
【００１０】
他方、ワーストケースでは、特定のドライブ設計と特定のディスク設計の組み合わせが、ディスクへの書き込みの試みがドライブの（自己）破損（光学ユニットの破損、レーザーの過度の露光）を導くという結果を導くかもしれないという問題がある。
【発明の開示】
【発明が解決しようとする課題】
【００１１】
従って、本発明の課題は、光ドライブによって拒絶されるディスクの個数が絶対的な必要最小限までさらに低減されるように、上述された光ドライブ及び方法をさらに進化させることである。
【課題を解決するための手段】
【００１２】
上記課題は、独立クレームの特徴によって解決される。本発明のさらなる発展型及び好適な実施例は、従属クレームにおいて概略される。
【００１３】
本発明の第１の特徴によると、上述されたタイプの光ドライブは、当該光ドライブが、挿入されたディスクが未知のディスクタイプを有する場合、前記挿入されたディスクから取得されたディスクタイプ識別情報の少なくとも一部を前記中央データベースに提供するよう構成されることを特徴とする。ディスクが既知又は未知のタイプを有するか否かは、以下でより詳細に示されるように、中央データベース及び／又はローカルデータベースに基づき決定されるかもしれない。当該手段により、新たなタイプのディスクが市場に投入される場合、そのことが中央データベースにおいてすぐに認識されることが保証される。従って、例えば、テスト施設にいる人々は、新たなディスクタイプをテストし、この新たなディスクタイプに適した書き込み戦略により中央データベースを更新することが可能である。最悪のケースでは、新たなディスクタイプと光ドライブの組み合わせが異常となり、ドライブの損傷を招く可能性があることが、テスト施設において発見される。この場合、唯一の可能な書き込み戦略ＷＳ情報は、当該ディスクがドライブの損傷を回避するよう拒絶される必要があるということである。中央データベースの更新後、中央データベースにアクセスするすべての光ドライブがこの新しいエントリを利用可能となる。
【００１４】
本発明による光ドライブのより好適な実施例によると、当該光ドライブはさらに、前記挿入されたディスク、特に未知のディスクタイプを有する挿入されたディスクへの書き込みを試みることにより取得した知識を前記中央データベースに提供するよう構成される。これにより、例えば、中央データベースがディスクタイプに依存せず、光ドライブのタイプに依存する書き込み戦略情報を提供することが可能である。さらに、この手段により、光ドライブは、自分自身から学習するだけでなく、中央データベースにデータを供給する他の光ドライブからも学習することが可能となる。このように構成されたネットワークの他の効果は、本質的にネットワークは最もインテリジェントな光ドライブと同程度のスマートさを有するため、古い光ドライブは、より新規でよりインテリジェントな光ドライブから利益を得るということである。従って、このような光ドライブは、上述した「スマート光ドライブ」と比較して、「ウルトラスマート光ドライブ」と呼ばれるかもしれない。
【００１５】
これに関して、前記取得した知識は、前記挿入されたディスクに良好に適用された書き込み戦略情報を有することが可能である。この手段によって、上述したテスト施設が例えば省略されるかもしれない。
【００１６】
しかしながら、前記取得した知識は、特に書き込みの試みが前記光ドライブの損傷を招く場合、適用に失敗した書き込み戦略情報を有することもまた好ましい。
【００１７】
これに関して、前記書き込み戦略情報は、前記挿入されたディスクが拒絶される必要があるか示す少なくとも１ビットを有する。
【００１８】
本発明による光ドライブの好適な実施例により、当該光ドライブは、少なくともいくつかの既知のディスクタイプに対する書き込み戦略情報を有するローカルデータベースを有する。しかしながら、中央データベースへのアクセスがインターネットなどを介し問題なく可能である場合、好ましくない場合であっても、中央データベースのみが利用されることも可能である。
【００１９】
光ドライブがローカルデータベースを有する場合、当該光ドライブは、前記中央データベースに基づき、当該光ドライブのデータベースを更新するよう構成されることが好ましい。
【００２０】
さらに、これに関して、光装置が上記経験に基づきそれのローカルデータベースを更新するよう構成されることが好ましい。これは、例えば、図２を参照して上述されたように実現されるかもしれない。
【００２１】
本発明による光ドライブのすべての実施例について、前記挿入されたディスクへの書き込みのため、当該光ドライブは、前記挿入されたディスクが既知のタイプのディスクである場合、前記ローカルデータベース及び／又は前記中央データベースに格納されているかき込み戦略情報を利用することが好ましい。
【００２２】
本発明のさらなる実施例によると、上述したタイプの光ドライブは、当該光ドライブは、既知のディスクタイプの挿入されたディスクが前記書き込み戦略情報から、挿入されたディスクへの書き込みが当該光ドライブの損傷を招く可能性がある場合、前記既知のディスクタイプの挿入されたディスクを拒絶するよう構成されることを特徴とする。
【００２３】
中央データベースは、好ましくは、インターネットを介しコンタクトされる。この場合、ディスクの損傷を防ぐため、インターネットにより制御された緊急ブレーキが実現される。中央データベースとの接続は、自動的又はそうでなく行われる。中央データベースは、例えば、テスト施設からのデータにより注入される。この施設において、人々は、新たなディスクをテストしており、ドライブ損傷を招く可能性のある異常ディスクを検索している。この手段は、受動的手段と呼ばれるかもしれない。しかしながら、さらに中央データベースが（また）光ドライブによって提供されたデータにより注入される能動的手段が存在する。この能動的手段は、図６を参照してより詳細に説明されるであろう。
【００２４】
何れの場合でも、当該光ドライブは、少なくともいくつかの既知のディスクタイプの書き込み戦略情報を有するローカルデータベースを有することが好ましい。
【００２５】
これに関して、当該光ドライブは、前記中央データベースに基づき、当該光ドライブのローカルデータベースを更新するよう構成されることが好ましい。
【００２６】
前記書き込み戦略ＷＳ情報は、好ましくは、前記挿入されたディスクが拒絶される必要があるか示す少なくとも１ビットを有する。
【００２７】
本発明の第２の特徴によると、上述された光ドライブの書き込み戦略を決定する方法は、ｃ）前記挿入されたディスクが未知のディスクタイプを有する場合、前記ディスクタイプ識別情報の少なくとも一部を複数の光ドライブによってアクセス可能な中央データベースに提供するステップを有することを特徴とする。このような方法によって、本発明による光ディスクと同様の効果及び特徴が実現される。従って、繰り返しを避けるため、ここでは、本発明による光ドライブに関する対応する上記説明が参照される。
【００２８】
同様のことが、本発明による方法の好適な実施例を特徴付ける以下の特徴に対して適用される。
【００２９】
好ましくは、本方法は、さらに、ｄ）前記挿入されたディスクが未知のタイプのディスクである場合、前記ディスクタイプ識別情報に基づき決定された書き込み戦略によって前記挿入されたディスクへの書き込みを試みるステップと、ｅ）前記ステップｄ）の挿入されたディスクへの書き込みの試みが成功した場合、前記挿入されたディスクへの成功した書き込みに利用された書き込み戦略情報を前記中央データベースに提供するステップとを有する。
【００３０】
あるいは、又は加えて、本方法は、さらに、ｄ）前記挿入されたディスクが未知のタイプのディスクである場合、前記ディスクタイプ識別情報に基づき決定された書き込み戦略によって前記挿入されたディスクへの書き込みを試みるステップと、ｆ）前記ステップｄ）の挿入されたディスクへの書き込みの試みが不成功であった場合、前記挿入されたディスクへの書き込みを試みることによって取得された知識を前記中央データベースに提供するステップとを有することが可能である。これに関して、書き込みについての不成功な試みは、ソフトエラーとドライブ不具合の２つのエラークラスに分割されるかもしれない。ソフトエラーは、ドライブに対しては害なく書き込み不良なディスクを生じさせる。例えば、ドライブのレーザーパワーが、適切なパワーによりディスクを書き込むのに不十分である。ドライブ不具合は、ドライブの一部が書き込み処理の結果として機能不全であり、ドライブが機能すべきであることを意味する。例えば、これは、レーザーの衰弱又は温度過剰なチップとすることができる。このような場合に、ディスクＩＤとドライブタイプの情報は、好ましくは、中央データベースに送信される。このことは、このタイプのすべてのディスクが同様の装置によっては焼き付けされないことを意味する。例えば、テスト施設は、このときこれらのディスクを観察し、この問題が当該ドライブに固有のものであるか、あるいはドライブタイプに固有のものであるか確認することができる。
【００３１】
さらに、上記ステップｂ）がローカルデータベース及び／又は上記中央データベースにアクセスすることを有することが好ましい。
【００３２】
本発明のさらなる実施例によると、上述された光ドライブの書き込み戦略を決定する方法は、前記ステップｂ）において、前記挿入されたディスクが既知のタイプのディスクであるかの判断は、インターネットを介し更新されるローカルデータベースに基づき実行され、前記ステップｂ）は、前記挿入されたディスクがドライブ損傷を招く可能性のある既知のタイプのディスクである場合、前記挿入されたディスクへの書き込みを試みることなく前記挿入されたディスクを拒絶することを特徴とする。またこの場合、インターネットにより制御された緊急ブレーキが、ドライブを保護するため実現される。
【００３３】
本発明の上記及び他の特徴が、以降に説明される実施例を参照して明らかとなるであろう。
【発明を実施するための最良の形態】
【００３４】
従来技術による第１及び第３の試みを示す図１及び図２は、本記載の導入部においてすでに説明された。
【００３５】
図３は、本発明による方法の好適な実施例を示すフローチャートであり、ここでは、以下に用いられる参照番号が後述される図５に関するものである。図２のステップＳ１において、ディスク１６が挿入されると、光ドライブ１０によりディスクタイプ識別情報が読まれ、ステップＳ２において、挿入されたディスクのタイプが識別される。ディスクタイプ識別情報は特に、ＡＤＩＰであってもよい。その後ステップＳ３において、ローカルデータベース１８が、ディスクタイプ識別情報に一致するエントリについて検索される。当該ディスクタイプがローカルデータベース１８に検出される場合、ステップＳ４において、挿入されたディスク１６は既知のタイプのディスクとみなされ、ステップＳ５に移行する。ステップＳ５において、書き込み戦略ＷＳがローカルデータベース１８を介し取得される。その後、ステップＳ６において、書き込み戦略ＷＳパラメータが最適化される。ステップＳ１３において、ティルトなどの書き込み設定が最適化され、ステップＳ１４において、ディスクが書き込まれる。
【００３６】
ステップＳ４において、未知のタイプのディスク１６が光ドライブ１０に挿入されたと判断される場合、光ドライブ１０は、中央データベース１４にディスクタイプ識別情報を提供するため、インターネットを介し中央データベース１４とコンタクトする。
【００３７】
ネットワーク（図４を参照されたい）がこのように動作する複数の光ドライブ１０、２２、２４、２６と、当該複数の光ドライブ１０、２２、２４、２６によってアクセス可能な少なくとも１つの中央データベースにより構成される場合、新たなディスクタイプのディスクが市場に投入されると、それは即座に認識されることが保証される。このような新たなタイプのディスクが検出される場合、例えば、中央データベース１４に各自の情報を提供するテスト施設２８などによって、適切な書き込み戦略ＷＳが決定されるかもしれない。
【００３８】
再び図３を参照するに、ステップＳ８において、ディスクタイプ識別情報（ＡＤＩＰ）が利用され、ステップＳ９において、可能なベストの書き込み戦略ＷＳが決定される。ステップＳ１０において、ベストな書き込み戦略ＷＳが仕様の範囲内にないと判断される場合に限って、ステップＳ１１において、当該ディスクは拒絶される。しかしながら、ステップＳ１０において、このベストな書き込み戦略ＷＳが仕様の範囲内にある場合、ステップＳ１２において、中央データベース１４には、挿入されたディスク１６に対して決定されたベストな書き込み戦略ＷＳ、すなわち、挿入されたディスク１６への書き込みの試みが成功することにより取得した知識が提供される。この時点以降、挿入されたディスク１６はネットワーク全体によって基地のタイプのディスクとして処理されるかもしれない。さらに、ステップＳ６に分岐し、ステップＳ１３において書き込み設定が最適化される前に、書き込み戦略ＷＳパラメータが最適化される。最後に、ステップＳ１４において、挿入されたディスクが書き込まれる。ステップＳ３、Ｓ５、Ｓ６及びＳ１３との間の矢印によって示されるように、光ドライブ１０は、中央データベース１４にそれの取得した知識を提供するだけでなく、それのローカルデータベース（メモリ）を対応して更新する。
【００３９】
図５は、本発明による光ドライブ１０の実施例を示す簡単化されたブロック図である。光ドライブ１０は、ディスク１６が挿入されるリード／ライトユニットを有する。光ドライブ１０の全体は、各矢印によって示されるように、コントローラ２０により制御されている。さらに、光ドライブ１０は、少なくとも異なるディスクタイプに対して、しかしながら一部のケースでは、おそらく上述のように異なるタイプの光ドライブに対してまた、書き込み戦略ＷＳ情報を有する中央データベース１４にアクセスするよう構成される手段１２（モデムなど）を有する。図５に示される光ドライブ１０は、異なるディスクタイプについての書き込み戦略ＷＳ情報をも含むローカルデータベース１８を有し、当該ローカルデータベースは、光ドライブ１０による取得した知識と中央データベース１４の両方に基づき更新される。図５に示される光ドライブ１０は自ら学習することができるだけでなく、すべての光ドライブ１０、２２、２４、２６（図４）から学習することが可能であるため、図５による光ドライブ１０は、「ウルトラスマートドライブ」と呼ばれるかもしれない。
【００４０】
図６は、本発明による方法のさらなる好適な実施例を示すフローチャートであり、ここでは、以下に用いられる参照番号は、すでに説明された図５に再び関するものである。図６に示される方法は、異常ディスク、すなわち、書き込み処理が実行されると、ドライブに損傷を与える可能性のあるディスクに対してドライブを保護するための非常ブレーキを実現するための能動的な解決手段である。異常ディスクが挿入されていないと判断される場合、すなわち、絶対的な複数のケースにおいて、図３による方法は、好ましくは、同時に又は以降に書き込み処理を最適化するため実行される。
【００４１】
図６のステップＳ１において、ディスク１６が挿入されると、光ドライブ１０によりディスクタイプ識別情報が読み込まれ、ステップＳ２において、挿入されたディスクのタイプが識別される。このディスクタイプ識別情報は、特にＡＤＩＰであってもよい。その後ステップＳ３において、ローカルデータベース１８が、ディスクタイプ識別情報に一致するエントリについて検索される。ローカルデータベース１８は、少なくともディスクが異常であるか否かの質問に関する書き込み戦略ＷＳ情報を有する。しかしながら、好適な実施例では、ローカルデータベース１８はまた、図３に関して説明されたように、ディスクが異常である場合、書き込み戦略ＷＳを最適化するのに適した書き込み戦略ＷＳ情報を含む。ローカルデータベース１８は、定期的に中央データベース１４により更新される。図６には図示されていないが、挿入されたディスク１６が未知のタイプを有する毎に、ローカルデータベース１８を更新することも可能である。ステップＳ４において、挿入されたディスク１６が既知のタイプであり、異常であると判断される場合、ステップＳ４において、挿入されたディスクはドライブを保護するため拒絶される。挿入されたディスク１６が異常であるとわからない場合、ステップＳ６において、ディスクの書き込みが試みられる。ステップＳ７において、エラーが発生しなかったと判断される場合、すべてが良好であり、本方法はステップＳ８において終了する。エラーが発生した場合、ステップＳ９において、ローカルデータベース１８は書き込みの試みにより取得された知識により更新される。その後、このタイプのエラーは、ステップＳ１０において調査される。いわゆるソフトエラーが生じた場合、すなわち、ディスクは良好には書き込みされなかったが、ドライブは破損しなかったエラーが生じた場合、図示された方法はステップＳ１１において終了する。そうでない場合、すなわち、ソフトエラーは生じないが、ドライブ不具合が発生した場合、すなわち、ドライブが故障した場合、中央データベース１４はステップＳ１２において、インターネットを介し対応して更新される。図６の例示によると、中央データベース１４は、テスト施設３０によりさらに更新される。例えば、テスト施設３０は、その問題が当該ドライブに固有のものであるか、当該ドライブタイプに固有のものであったか確認するため、異常と報告されたすべてのディスクをチェックする。その問題がドライブ自体に固有のものであった場合、ディスクタイプが異常とのエントリは、ディスクの拒絶回数を減少させるため、中央データベース１４から削除される。
【００４２】
図６には図示されないが、ドライブ不具合が発生した場合だけでなく、未知のディスクタイプが挿入されたすべての場合、又は少なくとも未知のディスクタイプへの書き込みの試みにおいてエラーが発生したすべての場合に、ドライブが中央データベース１４に通知することも可能である。
【００４３】
本発明は、特にインターネットを介し中央データベースにアクセス可能なすべての光ドライブに適用可能である。このことは、インターネットに接続される独立した製品に搭載されたドライブ及び少なくともすべてのＰＣドライブを意味する。
【００４４】
最後に、上述されなかった均等物及び改良もまた、添付された請求項に規定される本発明の範囲から逸脱することなく利用可能であるということに留意されたい。
【図面の簡単な説明】
【００４５】
【図１】図１は、従来技術による本発明の課題を解決するための第１の試みを示すフローチャートである。
【図２】図２は、従来技術による本発明の課題を解決するための第３の試みを示すフローチャートである。
【図３】図３は、本発明による方法の好適な実施例を示すフローチャートである。
【図４】図４は、複数の光ドライブと中央データベースのネットワークを示す概略図である。
【図５】図５は、本発明による光ドライブの実施例を示す簡単化されたブロック図である。
【図６】図６は、本発明による方法のさらなる好適な実施例を示すフローチャートである。
【図１】
2007534094.tif 000003
【図２】
2007534094.tif 000004
【図３】
2007534094.tif 000005
【図４】
2007534094.tif 000006
【図５】
2007534094.tif 000007
【図６】
2007534094.tif 000008
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
光ストレージディスクを書き込むのに適し、既知のディスクタイプに割り当てられる書き込み戦略情報を求めるため、複数の光ドライブによってアクセス可能な少なくとも１つの中央データベースにアクセスする手段を有する光ドライブであって、
当該光ドライブは、挿入されたディスクが未知のディスクタイプを有する場合、前記挿入されたディスクから取得されたディスクタイプ識別情報の少なくとも一部を前記中央データベースに提供するよう構成され、
当該光ドライブはさらに、前記挿入されたディスクへの書き込みを試みることにより取得した知識を前記中央データベースに提供するよう構成される、
ことを特徴とする光ドライブ。
【請求項２】
請求項１記載の光ドライブであって、
前記取得した知識は、前記挿入されたディスクに良好に適用された書き込み戦略情報を有することを特徴とする光ドライブ。
【請求項３】
請求項１又は２記載の光ドライブであって、
前記取得した知識は、特に書き込みの試みが前記光ドライブの損傷を招く場合、適用に失敗した書き込み戦略情報を有することを特徴とする光ドライブ。
【請求項４】
請求項１記載の光ドライブであって、
前記書き込み戦略情報は、前記挿入されたディスクが拒絶される必要があるか示す少なくとも１ビットを有することを特徴とする光ドライブ。
【請求項５】
請求項１記載の光ドライブであって、
当該光ドライブは、少なくともいくつかの既知のディスクタイプに対する書き込み戦略情報を有するローカルデータベースを有することを特徴とする光ドライブ。
【請求項６】
請求項５記載の光ドライブであって、
当該光ドライブは、前記中央データベースに基づき、当該光ドライブのローカルデータベースを更新するよう構成されることを特徴とする光ドライブ。
【請求項７】
請求項５記載の光ドライブであって、
当該光ドライブは、前記取得した知識に基づき、当該光ドライブのローカルデータベースを更新するよう構成されることを特徴とする光ドライブ。
【請求項８】
請求項１記載の光ドライブであって、
前記挿入されたディスクへの書き込みのため、当該光ドライブは、前記挿入されたディスクが既知のタイプのディスクである場合、前記ローカルデータベース及び／又は前記中央データベースに格納されている書き込み戦略情報を利用することを特徴とする光ドライブ。
【請求項９】
光ストレージディスクを書き込むのに適し、既知のディスクタイプに割り当てられる書き込み戦略情報を求めるため、複数の光ドライブによってアクセス可能な少なくとも１つの中央データベースにアクセスする手段を有する光ドライブであって、
当該光ドライブは、既知のディスクタイプの挿入されたディスクが前記書き込み戦略情報から、挿入されたディスクへの書き込みが当該光ドライブの損傷を招く可能性がある場合、前記既知のディスクタイプの挿入されたディスクを拒絶するよう構成されることを特徴とする光ドライブ。
【請求項１０】
請求項９記載の光ドライブであって、
当該光ドライブは、少なくともいくつかの既知のディスクタイプの書き込み戦略情報を有するローカルデータベースを有することを特徴とする光ドライブ。
【請求項１１】
請求項１０記載の光ドライブであって、
当該光ドライブは、前記中央データベースに基づき、当該光ドライブのローカルデータベースを更新するよう構成されることを特徴とする光ドライブ。
【請求項１２】
請求項９記載の光ドライブであって、
前記書き込み戦略情報は、前記挿入されたディスクが拒絶される必要があるか示す少なくとも１ビットを有することを特徴とする光ドライブ。
【請求項１３】
光ドライブの書き込み戦略を決定する方法であって、
ａ）前記光ドライブに挿入されるディスクからディスクタイプ識別情報を取得するステップと、
ｂ）前記ディスクタイプ識別情報に基づき、前記挿入されたディスクが既知のタイプのディスクであるか判断するステップと、
ｃ）前記挿入されたディスクが未知のディスクタイプを有する場合、前記ディスクタイプ識別情報の少なくとも一部を複数の光ドライブによってアクセス可能な中央データベースに提供するステップと、
ｄ）前記挿入されたディスクが未知のタイプのディスクである場合、前記ディスクタイプ識別情報に基づき決定された書き込み戦略によって前記挿入されたディスクへの書き込みを試みるステップと、
ｅ）前記ステップｄ）の挿入されたディスクへの書き込みの試みが成功した場合、前記挿入されたディスクへの成功した書き込みに利用された書き込み戦略情報を前記中央データベースに提供するステップと、
を有することを特徴とする方法。
【請求項１４】
請求項１３記載の方法であって、さらに、
ｆ）前記ステップｄ）の挿入されたディスクへの書き込みの試みが不成功であった場合、前記挿入されたディスクへの書き込みを試みることによって取得された知識を前記中央データベースに提供するステップを有することを特徴とする方法。
【請求項１５】
請求項１３記載の方法であって、
前記ステップｂ）は、ローカルデータベース及び／又は前記中央データベースにアクセスすることを特徴とする方法。
【請求項１６】
光ドライブの書き込み戦略を決定する方法であって、
ａ）前記光ドライブに挿入されたディスクからディスクタイプ識別情報を取得するステップと、
ｂ）前記ディスクタイプ識別情報に基づき、前記挿入されたディスクが既知のタイプのディスクであるか判断するステップと、
を有し、
前記ステップｂ）において、前記挿入されたディスクが既知のタイプのディスクであるかの判断は、インターネットを介し更新されるローカルデータベースに基づき実行され、
前記ステップｂ）は、前記挿入されたディスクがドライブ損傷を招く可能性のある既知のタイプのディスクである場合、前記挿入されたディスクへの書き込みを試みることなく前記挿入されたディスクを拒絶する、
ことを特徴とする方法。
【国際調査報告】
2007534094.tif 000009
2007534094.tif 000010
2007534094.tif 000011
2007534094.tif 000012
2007534094.tif 000013